(57)【要約】【課題】  表示画面を縦長状態から横長状態に切り替えた際に、画像等を表示させる表示領域が狭小化するのを抑制させた携帯通信端末を提供する。【解決手段】  表示画面２ａが縦長状態又は横長状態の何れの状態にあるかを判別する連結状態検出部１８と、動作状態に応じて表示される第１及び第２の表示オブジェクトを記憶している表示オブジェクト記憶部２０と、各表示オブジェクトを表示画面２ａ上に表示する表示制御部１６により構成される。表示制御部１６は、表示画面２ａが縦長状態にある場合に、当該表示画面上端部に設けた第１オブジェクト表示領域内に複数の第１の表示オブジェクトを表示すると共に、表示画面下端部に設けた第２オブジェクト表示領域内に複数の第２の表示オブジェクトを表示し、表示画面２ａが横長状態にある場合に、当該表示画面上端部又は下端部の何れかに設けた第３オブジェクト表示領域内に各第１及び第２の表示オブジェクトを表示する。【選択図】  図５
2011217380.tif 000002
【特許請求の範囲】
【請求項１】
表示画面を有する表示筐体と、操作キーを有する操作筐体と、上記表示筐体及び上記操作筐体を連結し、上記表示画面が縦長状態及び横長状態を遷移可能となるように上記操作筐体に対して上記表示筐体を回転可能に保持する連結手段とからなる携帯通信端末において、
上記連結手段による連結状態を検出し、上記表示画面が縦長状態又は横長状態のいずれの状態にあるかを判別する連結状態検出手段と、
動作状態に応じて表示される第１及び第２の表示オブジェクトを記憶している表示オブジェクト記憶手段と、
上記各表示オブジェクトを上記表示画面上に表示する表示制御手段とを備え、
上記表示制御手段は、上記連結状態検出手段による判別結果に基づいて、上記表示画面が縦長状態にある場合に、当該表示画面上端部に設けた第１オブジェクト表示領域内に２以上の上記第１の表示オブジェクトを表示するとともに、表示画面下端部に設けた第２オブジェクト表示領域内に２以上の上記第２の表示オブジェクトを表示し、上記表示画面が横長状態にある場合に、当該表示画面上端部又は下端部のいずれかに設けた第３オブジェクト表示領域内に上記各第１及び第２の表示オブジェクトを表示することを特徴とする携帯通信端末。
【請求項２】
上記表示制御手段は、上記第３オブジェクト表示領域を第１及び第２分割領域に区分し、上記第２分割領域よりも大きな領域幅の連続領域からなる上記第１分割領域内に上記各第１の表示オブジェクトを表示することを特徴とする請求項１に記載の携帯通信端末。
【請求項３】
上記第１分割領域の領域幅が、上記第１オブジェクト表示領域の領域幅と一致していることを特徴とする請求項２に記載の携帯通信端末。
【請求項４】
上記縦長状態では上記第１の表示オブジェクトとして上記第１オブジェクト表示領域内に表示される文字列が、上記横長状態では上記第１分割領域内に表示されることを特徴とする請求項２又は３に記載の携帯通信端末。
【請求項５】
着信時又は通話時に発信元を示す文字列からなる発信元表示オブジェクトを生成する発信元オブジェクト生成手段を備え、
上記表示制御手段が、上記発信元表示オブジェクトを上記縦長状態では上記第１オブジェクト表示領域内に表示し、上記横長状態では上記第１分割領域内に表示することを特徴とする請求項２又は３に記載の携帯通信端末。
【請求項６】
上記表示制御手段は、上記発信元表示オブジェクトをマーキー表示することを特徴とする請求項５に記載の携帯通信端末。
【請求項７】
上記表示制御手段は、同一行内を区分して上記第１及び第２分割領域を設けることを特徴とする請求項２に記載の携帯通信端末。
【請求項８】
上記各第２の表示オブジェクトが、それぞれ上記操作キーに割り当てられた機能割り当てを示すアイコンであり、
上記表示制御手段が、上記第３オブジェクト表示領域を第１及び第２分割領域に区分し、連続領域からなる上記第１分割領域内に上記各第１の表示オブジェクトを表示するとともに、上記第１分割領域を挟んで左右に分割された上記第２分割領域内に上記各第２の表示オブジェクトを表示することを特徴とする請求項１に記載の携帯通信端末。
【請求項９】
上記表示制御手段は、上記第３オブジェクト表示領域を表示画面下端部に設けることを特徴とする請求項８に記載の携帯通信端末。
【発明の詳細な説明】
【技術分野】
【０００１】
本発明は、携帯通信端末に係り、さらに詳しくは、表示画面が縦長状態及び横長状態を遷移可能となるように操作筐体に対して表示筐体が回転可能に保持された携帯電話機などの通信端末の改良に関する。
【背景技術】
【０００２】
表示画面を有する表示筐体と、操作キーを有する操作筐体と、両筐体を連結する連結手段を備え、操作筐体に対して表示筐体が表示画面に平行な面内で回転可能に保持された携帯電話機が知られている。
【０００３】
この様な携帯電話機では、表示筐体を回転させることにより、表示画面の長手方向を上下方向とする縦長状態と、長手方向を左右方向とする横長状態とに切り替えて使用することができる。
【先行技術文献】
【特許文献】
【０００４】
【特許文献１】特開平３−２５０３６０号公報
【特許文献２】特開平１０−２６９６４号公報
【特許文献３】特開平１０−４９３３４号公報
【特許文献４】特開２００５−２４１６５２号公報
【発明の概要】
【発明が解決しようとする課題】
【０００５】
従来、電波の受信状態や電池残量を示すピクトグラム（絵文字）は、表示画面上端部の表示領域内に表示され、操作キーに割り当てられた機能割り当てを示すアイコンは、表示画面下端部の表示領域内に表示されていた。このため、表示画面を縦長状態から横長状態に遷移させると、上記各表示領域が横方向に拡がることから、画像などを表示させる表示領域が狭小化してしまうという問題があった。
【０００６】
本発明は、上記事情に鑑みてなされたものであり、表示画面を縦長状態から横長状態に切り替えた際に、画像などを表示させる表示領域が狭小化するのを抑制させた携帯通信端末を提供することを目的としている。
【課題を解決するための手段】
【０００７】
第１の本発明による携帯通信端末は、表示画面を有する表示筐体と、操作キーを有する操作筐体と、上記表示筐体及び上記操作筐体を連結し、上記表示画面が縦長状態及び横長状態を遷移可能となるように上記操作筐体に対して上記表示筐体を回転可能に保持する連結手段とからなる携帯通信端末であって、上記連結手段による連結状態を検出し、上記表示画面が縦長状態又は横長状態のいずれの状態にあるかを判別する連結状態検出手段と、動作状態に応じて表示される第１及び第２の表示オブジェクトを記憶している表示オブジェクト記憶手段と、上記各表示オブジェクトを上記表示画面上に表示する表示制御手段とを備えて構成される。上記表示制御手段は、上記連結状態検出手段による判別結果に基づいて、上記表示画面が縦長状態にある場合に、当該表示画面上端部に設けた第１オブジェクト表示領域内に２以上の上記第１の表示オブジェクトを表示するとともに、表示画面下端部に設けた第２オブジェクト表示領域内に２以上の上記第２の表示オブジェクトを表示し、上記表示画面が横長状態にある場合に、当該表示画面上端部又は下端部のいずれかに設けた第３オブジェクト表示領域内に上記各第１及び第２の表示オブジェクトを表示する。
【０００８】
この携帯通信端末では、表示画面が縦長状態又は横長状態のいずれの状態にあるかが判別され、その判別結果に基づいて各表示オブジェクトが表示画面上に表示される。その際、表示画面が横長状態にあれば、当該表示画面上端部又は下端部のいずれかに設けた第３オブジェクト表示領域内に第１及び第２の表示オブジェクトが表示される。この様な構成により、表示画面の横長状態では、同一のオブジェクト表示領域内に各表示オブジェクトが配置されるので、表示画面を縦長状態から横長状態に切り替えた際に、画像などを表示させる表示領域が狭小化するのを抑制させることができる。
【０００９】
ここでいう表示オブジェクトとは、表示画面上に表示させる文字、画像などの表示対象のことである。具体的には、電波の受信状態や電池残量を示すピクトグラム（絵文字）、操作キーに割り当てられた機能割り当てを示すアイコン、発信元を示す文字列などが表示オブジェクトに含まれる。
【００１０】
第２の本発明による携帯通信端末は、上記構成に加え、上記表示制御手段が、上記第３オブジェクト表示領域を第１及び第２分割領域に区分し、上記第２分割領域よりも大きな領域幅の連続領域からなる上記第１分割領域内に上記各第１の表示オブジェクトを表示するように構成される。
【００１１】
第３の本発明による携帯通信端末は、上記構成に加え、上記第１分割領域の領域幅が、上記第１オブジェクト表示領域の領域幅と一致しているように構成される。
【００１２】
第４の本発明による携帯通信端末は、上記構成に加え、上記縦長状態では上記第１の表示オブジェクトとして上記第１オブジェクト表示領域内に表示される文字列が、上記横長状態では上記第１分割領域内に表示されるように構成される。この様な構成によれば、第２分割領域よりも大きな領域幅の連続領域からなる第１分割領域内に第１の表示オブジェクトとしての文字列を表示させるので、文字列の表示中に縦長状態から横長状態に表示画面を切り替えた際に、違和感が生じるのを抑制することができる。
【００１３】
第５の本発明による携帯通信端末は、上記構成に加え、着信時又は通話時に発信元を示す文字列からなる発信元表示オブジェクトを生成する発信元オブジェクト生成手段を備え、上記表示制御手段が、上記発信元表示オブジェクトを上記縦長状態では上記第１オブジェクト表示領域内に表示し、上記横長状態では上記第１分割領域内に表示するように構成される。
【００１４】
第６の本発明による携帯通信端末は、上記構成に加え、上記表示制御手段が、上記発信元表示オブジェクトをマーキー表示するように構成される。
【００１５】
第７の本発明による携帯通信端末は、上記構成に加え、上記表示制御手段は、同一行内を区分して上記第１及び第２分割領域を設けるように構成される。
【００１６】
第８の本発明による携帯通信端末は、上記構成に加え、上記各第２の表示オブジェクトが、それぞれ上記操作キーに割り当てられた機能割り当てを示すアイコンであり、上記表示制御手段が、上記第３オブジェクト表示領域を第１及び第２分割領域に区分し、連続領域からなる上記第１分割領域内に上記各第１の表示オブジェクトを表示するとともに、上記第１分割領域を挟んで左右に分割された上記第２分割領域内に上記各第２の表示オブジェクトを表示するように構成される。この様な構成によれば、第１分割領域を挟んで左右に分割された第２分割領域内にアイコンとしての各第２の表示オブジェクトを表示させるので、左右の操作キーに対応付け易くすることができる。
【００１７】
第９の本発明による携帯通信端末は、上記構成に加え、上記表示制御手段が、上記第３オブジェクト表示領域を表示画面下端部に設けるように構成される。
【発明の効果】
【００１８】
本発明による携帯通信端末によれば、表示画面の横長状態では、同一のオブジェクト表示領域内に各表示オブジェクトが配置されるので、表示画面を縦長状態から横長状態に切り替えた際に、画像などを表示させる表示領域が狭小化するのを抑制させることができる。
【図面の簡単な説明】
【００１９】
【図１】本発明の実施の形態による携帯通信端末の概略構成の一例を示した斜視図であり、携帯通信端末の一例として折り畳み可能な携帯電話機１が示されている。
【図２】図１の携帯電話機１における表示筐体２を操作筐体４に対して回転させた状態を示した斜視図である。
【図３】図１の携帯電話機１の表示筐体２を回転させた状態を示した斜視図であり、正面から見て図１の状態から時計回りに９０°回転させた状態が示されている。
【図４】図１の携帯電話機１内における機能構成の一例を示したブロック図である。
【図５】図１の携帯電話機１における動作の一例を示した図である。
【図６】図１の携帯電話機１における動作の一例を示した図であり、着信時又は通話時の表示画面２ａの様子が示されている。
【図７】図１の携帯電話機１における動作の一例を示したフローチャートである。
【図８】本発明の他の実施形態を示した図であり、横長状態にある表示画面２ａの様子が示されている。
【図９】本発明のその他の実施形態を示した図であり、横長状態にある表示画面２ａの様子が示されている。
【発明を実施するための形態】
【００２０】
図１は、本発明の実施の形態による携帯通信端末の概略構成の一例を示した斜視図であり、携帯通信端末の一例として折り畳み可能な携帯電話機１が示されている。この携帯電話機１は、表示画面２ａを有する表示筐体２と、操作キー４ａ，５ａ〜５ｃを有する操作筐体４と、表示筐体２及び操作筐体４を連結するヒンジ部３からなり、表示画面２ａ及び操作筐体４の操作面を対向させて両筐体を折り畳むことができる。なお、図１には、両筐体を展開させた状態での携帯電話機１が示されている。
【００２１】
表示筐体２には、折り畳んだ状態で操作筐体４の操作面に対向する面に表示画面２ａ及び受話用レシーバ８が配置されている。表示画面２ａは、文字や画像の出力部であり、矩形状に形成されている。ここでは、表示画面２ａの長手方向が表示筐体２の長手方向と一致するように配置されている。受話用レシーバ８は、通話時における音声の出力部であり、表示筐体２におけるヒンジ部３とは反対側の端部に配置されている。
【００２２】
操作筐体４には、折り畳んだ状態で表示筐体２の表示画面２ａに対向する面に複数の操作キー４ａ，５ａ〜５ｃ及び送話用マイクロホン７が配置されている。操作キー４ａは、テンキー、オンフックキー、オフフックキーなどからなり、操作筐体４におけるヒンジ部３とは反対側に配置されている。
【００２３】
操作キー５ａ〜５ｃは、機能割り当てを示すアイコンが表示画面２ａ上に表示される操作キーであり、ガイドキー、機能キー、ソフトキーなどと呼ばれている。各操作キー５ａ〜５ｃは、操作筐体４におけるヒンジ部３側に配置されている。
【００２４】
ここでは、この様な操作キーとして、メニューキー５ａ、終了キー５ｂ及び方向キー５ｃが設けられているものとする。メニューキー５ａは、メニュー画面を表示させるための操作キーであり、操作筐体４の左側に配置されている。終了キー５ｂは、起動中のアプリケーションプログラムを終了させるための操作キーである。方向キー５ｃは、押下位置に応じて異なる入力が可能な多機能キーであり、カーソル位置などを上下左右に移動させることができる。送話用マイクロホン７は、通話時における音声入力部であり、操作筐体４におけるヒンジ部３とは反対側の端部に配置されている。
【００２５】
ヒンジ部３は、操作筐体４に対して回動可能に設けられた連結部３ａと、表示筐体２を保持する保持部３ｂにより構成される。連結部３ａは、保持部３ｂの一端部において互いに一定間隔を隔てて突出するように形成された２つの円筒体からなる。操作筐体４の内面における長手方向の一端部には、長手方向に垂直な方向に延びるように円筒体６が形成されており、この円筒体６が連結部３ａの各円筒体間に同軸に配置されている。ヒンジ部３を操作筐体４に対して回動させることにより、端末を折り畳むことができる。
【００２６】
保持部３ｂは、表示筐体２を表示画面２ａに平行な面内で回転可能に保持し、表示筐体２は、操作筐体４に対する傾斜角度を保った状態で回転できるようになっている。つまり、ヒンジ部３は、表示筐体２及び操作筐体４を連結し、表示画面２ａが縦長状態及び横長状態を遷移可能となるように、操作筐体４に対して表示筐体２を回転可能に保持する手段となっている。
【００２７】
この様な折り畳み式の携帯電話機１は、コンパクトに折り畳んだ状態で携帯することができ、筐体を展開させれば、表示画面２ａの表示を見ながら、操作キー４ａ，５ａ〜５ｃを操作することができる。また、この携帯電話機１は、図１に示すように表示画面２ａを縦長状態として表示筐体２の内面に耳を当てることにより、送話用マイクロホン７に口を近づけるとともに、受話用レシーバ８に耳を近づけて、良好に通話を行うことができるようになっている。
【００２８】
図２は、図１の携帯電話機１における表示筐体２を操作筐体４に対して回転させた状態を示した斜視図であり、正面から見て図１の状態から時計回りに約４５°回転させた状態が示されている。図３は、図１の携帯電話機１の表示筐体２を回転させた状態を示した斜視図であり、正面から見て図１の状態から時計回りに９０°回転させた状態が示されている。
【００２９】
ユーザは、操作筐体４を把持した状態で、表示筐体２を回転させることにより、図１に示した縦長状態と、図３に示した横長状態とを切り替えることができる。つまり、図１に示す縦長状態から表示筐体２を回転させることにより、図２の状態を経て、図３に示すような表示画面２ａの横長状態に遷移させることができる。
【００３０】
テレビ放送を視聴する際には、表示画面２ａを横長状態に切り替えることにより、テレビ画像のアスペクト比に合致させてテレビ画像を表示することができる。すなわち、表示画面２ａは、長辺と短辺の比が１６：９となっており、一般的なテレビ放送に用いられるテレビ画像のアスペクト比と一致している。
【００３１】
図１の状態から表示筐体２を時計回りに回転させる場合、図２に示した状態となるまでは、ヒンジ部３の保持部３ｂ内に備えられた付勢手段により、表示筐体２に対して反時計回りに付勢力が作用するようになっている。したがって、図１の状態では、表示筐体２に対して反時計回りに作用する付勢力によって、外力が作用しない限り表示筐体２が図１の状態のまま維持されるようになっている。
【００３２】
一方、図２の状態を超えて表示筐体２をさらに時計回りに回転させると、表示筐体２に作用する付勢力が時計回りに切り替わり、図３に示した状態で表示筐体２が係止される。これにより、外力が作用しない限り表示筐体２が図３の状態のまま維持されるようになっている。
【００３３】
本実施の形態では、表示筐体２は一定位置に固定された回転軸を中心に回転するのではなく、表示筐体２の回転に伴って移動する回転軸を中心に回転するようになっている。これにより、図１に示すように長手方向の一端部が操作筐体４に近接した縦長状態の表示筐体２を９０°回転させても、図３に示すように表示筐体２の長手方向に垂直な方向の一端部が操作筐体４に近接し、コンパクトに横長状態とされた表示画面２ａにテレビ画像を表示させてテレビ放送を視聴することができるようになっている。
【００３４】
また、操作筐体４を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切り替えることができるようになっている。
【００３５】
図４は、図１の携帯電話機１内における機能構成の一例を示したブロック図である。この携帯電話機１は、上述した受話用レシーバ８及び送話用マイクロホン７の他に、アンテナ１１ａ，１２ａ、セルラー通信部１１、テレビ放送受信部１２、操作入力部１３、スピーカ１４、表示制御部１６、ＬＣＤ１７、連結状態検出部１８、発信元オブジェクト生成部１９及び表示オブジェクト記憶部２０を備えており、それらの動作がプロセッサからなる主制御部１５により制御される。
【００３６】
スピーカ１４は、音声の出力部であり、受話用レシーバ８から出力される場合よりも音声を増幅して出力することができる。これにより、表示筐体２から耳を離した状態であっても、音声を聞くことができる。
【００３７】
ここで、受話用レシーバ８は、表示筐体２の内面にユーザが耳を当てた状態で使用されるのに対して、スピーカ１４は、表示筐体２の内面からユーザが耳を離した状態で使用される。したがって、表示画面２ａにおけるテレビ画像などの表示は、スピーカ１４を使用しているときには見ることができるが、受話用レシーバ８を使用しているときには見ることができない。
【００３８】
スピーカ１４を用いて相手方電話機との間で通話を行う場合には、相手方電話機からの音声が増幅されてスピーカ１４から出力されるとともに、送話用マイクロホン７からの入力信号が増幅されることにより、携帯電話機１を把持することなく、いわゆるハンズフリーで通話を行うことができる。このとき、送話用マイクロホン７からの入力信号は、ハウリングを防止するためのキャンセル回路に入力されるようになっている。受話用レシーバ８による通常の通話と、ハンズフリーによる通話との切り替えは、操作キーの操作により行うことができる。
【００３９】
セルラー通信部１１は、通信用のアンテナ１１ａを介して基地局との間で電波の送受信を行う移動体通信処理手段である。相手方電話機との間で通話状態が確立された状態では、ユーザの通話音に基づく音声信号がセルラー通信部１１から送信され、相手方電話機からの通話音に基づく音声信号がセルラー通信部１１で受信されることにより、通話音がリアルタイムで送受信される。
【００４０】
テレビ放送受信部１２は、テレビ放送受信用のアンテナ１２ａを介して、テレビ局から発信されているテレビ放送波を受信するチューナーである。テレビ局から発信されるテレビ放送波には、アナログ放送に対応したアナログ放送波と、デジタル放送に対応したデジタル放送波とが含まれている。このテレビ放送受信部１２が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報、受信電波の周波数帯に応じたチャンネル情報などが含まれている。
【００４１】
テレビ放送受信部１２で受信したテレビ放送波に基づいて、表示画面２ａにテレビ画像を表示するとともに、そのテレビ画像に対応するテレビ音声をスピーカ１４から出力することにより、テレビ放送を視聴することができる。また、テレビ放送波に含まれる文字情報を抽出して表示画面２ａに表示させることにより、テレビ画像とともに字幕などの文字情報を表示させることができる。また、テレビ放送波に基づくテレビ画像やテレビ音声をメモリ（図示せず）に記憶させれば、テレビ放送を録画することができる。
【００４２】
操作入力部１３は、各操作キー４ａ，５ａ〜５ｃの操作に基づいて入力信号を生成する動作を行っている。連結状態検出部１８は、ヒンジ部３による連結状態を検出し、表示画面２ａが縦長状態又は横長状態のいずれの状態にあるかを判別する動作を行っている。具体的には、機械的又は電気的なスイッチにより構成され、ユーザによる表示筐体２の回転操作を検出することにより、表示筐体２の回転位置が検知される。
【００４３】
表示オブジェクト記憶部２０は、不揮発性のメモリであり、動作状態に応じて表示される第１及び第２の表示オブジェクトが格納されている。具体的には、電波の受信状態（受信強度）、電池残量、メール受信を示すピクトグラム（絵文字）などが第１の表示オブジェクトとして格納され、操作キー５ａ〜５ｃに割り当てられた機能割り当てを示すアイコンなどが第２の表示オブジェクトとして格納されている。
【００４４】
上記ピクトグラムは、他のアプリケーションプログラムによる画面表示に影響されることなく、表示画面２ａ上に常に表示される表示オブジェクトとなっている。上記アイコンとしては、メニューキー５ａに対応付けられたメニューアイコン、終了キー５ｂに対応付けられた終了アイコンが表示オブジェクトとして格納されている。
【００４５】
発信元オブジェクト生成部１９は、着信時又は通話時に発信元を示す文字列からなる発信元表示オブジェクトを生成する動作を行っている。具体的には、発信元電話番号、予め登録されているユーザ名などが発信元を示す表示オブジェクトとして生成される。
【００４６】
ＬＣＤ（Liquid Crystal Display：液晶ディスプレイ）１７は、表示画面２ａを有する表示装置である。表示制御部１６は、ＬＣＤ１７を制御し、文字や画像を表示画面２ａ上に表示させる動作を行っている。具体的は、連結状態検出部１８による判別結果に基づいて、各表示オブジェクトを表示画面２ａ上に表示させる。すなわち、表示画面２ａが縦長状態にある場合には、当該表示画面２ａ上端部に設けた第１オブジェクト表示領域内に複数の第１の表示オブジェクトを表示するとともに、表示画面２ａ下端部に設けた第２オブジェクト表示領域内に複数の第２の表示オブジェクトを表示する。一方、表示画面２ａが横長状態にある場合には、当該表示画面２ａ下端部に設けた第３オブジェクト表示領域内に各第１及び第２の表示オブジェクトを表示する。
【００４７】
ここでは、第３オブジェクト表示領域が、第１及び第２分割領域に区分され、第２分割領域よりも大きな領域幅の連続領域からなる第１分割領域内に各第１の表示オブジェクトが表示されるものとする。また、縦長状態では第１の表示オブジェクトとして第１オブジェクト表示領域内に表示される文字列が、横長状態では第１分割領域内に表示されるものとする。
【００４８】
図５（ａ）及び（ｂ）は、図１の携帯電話機１における動作の一例を示した図であり、図５（ａ）には、縦長状態にある表示画面２ａの様子が示され、図５（ｂ）には、横長状態にある表示画面２ａの様子が示されている。縦長状態では、ユーザから見て、表示領域が左右方向に比べて上下方向に拡がっている。この様な縦長状態においては、表示画面２ａの上端部に第１オブジェクト表示領域２１が設けられ、下端部に第２オブジェクト表示領域２３が設けられる。
【００４９】
第１オブジェクト表示領域２１及び第２オブジェクト表示領域２３間は、画像などの表示領域２２となっている。
【００５０】
ここでは、第１オブジェクト表示領域２１が、文字列を表示する際の行の高さを領域の高さとして設けられ、表示画面２ａの短辺に隣接するように配置されるものとする。この例では、第１オブジェクト表示領域２１内にピクトグラム２４ａ〜２４ｃが表示され、第２オブジェクト表示領域２３内にアイコン２５ａ及び２５ｂが表示されている。
【００５１】
ピクトグラム２４ａは、電波の受信強度を示す表示オブジェクトであり、左端部に配置されている。ピクトグラム２４ｂは、電子メールの着信を示す表示オブジェクトである。ピクトグラム２４ｃは、電池の残量を示す表示オブジェクトであり、右端部に配置されている。
【００５２】
アイコン２５ａは、メニューアイコンであり、操作ボタン状のシンボルがメニューアイコンとして表示されている。このアイコン２５ａは、左端部に配置されている。アイコン２５ｂは、終了アイコンであり、操作ボタン状のシンボルが終了アイコンとして表示されている。このアイコン２５ｂは、右端部に配置されている。
【００５３】
これに対し、横長状態では、ユーザから見て、表示領域が上下方向に比べて左右方向に拡がっている。この様な横長状態においては、表示画面２ａの下端部に第３オブジェクト表示領域３２が設けられる。第３オブジェクト表示領域３２以外の領域は、画像などの表示領域３１となっている。
【００５４】
ここでは、第３オブジェクト表示領域３２が、文字列を表示する際の行の高さを領域の高さとして設けられ、表示画面２ａの長辺に隣接するように配置されるものとする。この第３オブジェクト表示領域３２は、第１分割領域３４及び第２分割領域３３及び３５に区分され、第２分割領域３３及び３５よりも大きな領域幅Ａ３の連続領域からなる第１分割領域３４内に各第１の表示オブジェクトが表示される。すなわち、第１分割領域３４は、第２分割領域３３及び３５（領域幅はＡ２＋Ａ４）に比べ、縦長状態のときのオブジェクト表示領域（領域幅Ａ１）に対する変化率が小さくなっている。
【００５５】
ここでは、各表示領域３３〜３５が、同一行内を区分して設けられるものとする。すなわち、アイコン２５ａ及び２５ｂ、ピクトグラム２４ａ〜２４ｃ、文字列の高さを揃えて各表示オブジェクトが表示されるものとする。
【００５６】
第１の表示オブジェクト２４ａ〜２４ｃは、縦長状態のときと同じ順序でそれぞれ第１分割領域３４内に表示される。これにより、各ピクトグラム２４ａ〜２４ｃの配列順序が状態遷移の前後で変わらないので、表示画面２ａを縦長状態から横長状態に切り替えた際に、違和感なく第１の表示オブジェクトを認識させることができる。
【００５７】
第２の表示オブジェクト２５ａ及び２５ｂは、それぞれ第２分割領域３３，３５内に表示される。すなわち、左右に配置された各操作キー５ａ，５ｂに対応する２つのアイコン２５ａ及び２５ｂが、それぞれ左側の表示領域３３及び右側の表示領域３５内に表示される。具体的には、アイコン２５ａが左側に配置され、アイコン２５ｂが右側に配置されている。
【００５８】
この例では、第１分割領域３４の領域幅Ａ３が、第１オブジェクト表示領域２１の領域幅Ａ１と一致している。すなわち、第１分割領域３４について、横方向の長さが縦長状態の場合における各オブジェクト表示領域２１及び２３の横方向の長さと変わらないように形成されている。この様にすれば、表示画面２ａを縦長状態から横長状態に切り替えた際に、ピクトグラム２４ａ〜２４ｃの表示領域が第１オブジェクト表示領域２１から第３オブジェクト表示領域３２にそのまま下方に降りてくるだけなので、違和感が生じるのを抑制することができる。なお、第１分割領域３４の領域幅Ａ３を領域幅Ａ１よりも大きくしても良い。
【００５９】
また、第３オブジェクト表示領域３２を表示画面２ａの下端部に設けたことにより、第２の表示オブジェクトの位置が、縦長状態の場合と同様に横長状態であっても、操作筐体４の各操作キー５ａ〜５ｃに近くなるので、操作性を向上させることができる。特に、アイコン２５ａ，２５ｂを左側の表示領域３３及び右側の表示領域３５内に配置したことにより、表示画面２ａを縦長状態から横長状態に切り替えた際に、違和感が生じるのを抑制することができる。
【００６０】
図６は、図１の携帯電話機１における動作の一例を示した図であり、着信時又は通話時の表示画面２ａの様子が示されている。表示画面２ａが横長状態にある場合、着信時や通話時には、発信元を示す文字列からなる発信元表示オブジェクト４１が第３オブジェクト表示領域３２内に表示される。
【００６１】
具体的には、発信元電話番号やユーザ名が発信元表示オブジェクト４１として第１分割領域３４内に表示される。この発信元表示オブジェクト４１は、横方向を文字列の方向として、静的又は動的に表示される。静的な表示としては、所定の表示エリア内に一定の文字数を上限として文字列を表示する、いわゆるテロップ表示がある。動的な表示としては、文字の表示位置を変化させながら、所定の表示エリアの一端から他端へ一方向に文字列を流れるように表示する、いわゆるマーキー表示がある。
【００６２】
図７のステップＳ１０１〜Ｓ１０５は、図１の携帯電話機１における動作の一例を示したフローチャートである。まず、連結状態検出部１８は、ヒンジ部３の連結状態を検出する（ステップＳ１０１）。次に、表示制御部１６は、表示画面２ａが縦長状態から横長状態に切り替えられれば、第１及び第２の表示オブジェクトの配置を変更する（ステップＳ１０２，Ｓ１０３）。このとき、ピクトグラム２４ａ〜２４ｃやアイコン２５ａ及び２５ｂは、第３オブジェクト表示領域３２内に配置される。
【００６３】
一方、表示画面２ａが横長状態から縦長状態に切り替えられれば、第１及び第２の表示オブジェクトの配置を変更する（ステップＳ１０４，Ｓ１０５）。このとき、ピクトグラム２４ａ〜２４ｃは、第１オブジェクト表示領域２１内に配置され、アイコン２５ａ及び２５ｂは、第２オブジェクト表示領域２３内に配置される。
【００６４】
本実施の形態によれば、表示画面２ａの横長状態では、同一のオブジェクト表示領域３２内に各表示オブジェクトが配置されるので、表示画面２ａを縦長状態から横長状態に切り替えた際に、画像などを表示させる表示領域３１が狭小化するのを抑制させることができる。
【００６５】
なお、本実施の形態では、表示画面２ａの下端部に第３オブジェクト表示領域が設けられる場合の例について説明したが、本発明はこれに限られるものではない。例えば、表示画面２ａの上端部に第３オブジェクト表示領域を設けても良い。
【００６６】
図８は、本発明の他の実施形態を示した図であり、横長状態にある表示画面２ａの様子が示されている。この例では、表示画面２ａの上端部に第３オブジェクト表示領域５１が設けられる。第３オブジェクト表示領域５１以外の領域は、画像などの表示領域５２となっている。
【００６７】
また、第３オブジェクト表示領域５１内が、第１分割領域５４、第２分割領域５３及び５５に区分され、各表示領域５３〜５５内に各表示オブジェクトが配置される。この様な構成によっても、表示画面２ａの横長状態では、同一のオブジェクト表示領域５１内に各表示オブジェクトが配置されるので、表示画面２ａを縦長状態から横長状態に切り替えた際に、画像などを表示させる表示領域５２が狭小化するのを抑制させることができる。
【００６８】
また、本実施の形態では、第１分割領域３４を挟んで左右に分割された第２分割領域３３，３５内に各第２の表示オブジェクトが表示される場合の例について説明したが、本発明はこれに限られるものではない。例えば、第３オブジェクト表示領域を２つの連続領域に区分し、一方の連続領域を第１分割領域として第１の表示オブジェクトを表示し、他方の連続領域を第２分割領域として第２の表示オブジェクトを表示しても良い。
【００６９】
図９は、本発明のその他の実施形態を示した図であり、横長状態にある表示画面２ａの様子が示されている。この例では、第３オブジェクト表示領域６２が、左側表示領域６３及び右側表示領域６４の２つの連続領域に区分され、各表示領域内に各表示オブジェクトが配置される。表示領域６１は、画像などの表示領域である。
【００７０】
具体的には、ピクトグラム２４ａ〜２４ｃが左側表示領域６３内に配置され、アイコン２５ａ及び２５ｂが右側表示領域６４内に配置されている。左側表示領域６３が第１分割領域となっており、右側表示領域６４が第２分割領域となっている。左側表示領域６３は、その領域幅Ｂ１が右側表示領域６４の領域幅Ｂ２よりも大きな領域からなり、この領域内に各第１の表示オブジェクトが表示される。すなわち、左側表示領域６３は、右側表示領域６４に比べ、縦長状態のときのオブジェクト表示領域（領域幅Ａ１）に対する変化率が小さくなっている。この様な構成によっても、表示画面２ａの横長状態では、同一のオブジェクト表示領域６２内に各表示オブジェクトが配置されるので、表示画面２ａを縦長状態から横長状態に切り替えた際に、画像などを表示させる表示領域６１が狭小化するのを抑制させることができる。
【符号の説明】
【００７１】
１  携帯電話機
２  表示筐体
２ａ  表示画面
３  ヒンジ部
３ａ  連結部
３ｂ  保持部
４ａ，５ａ〜５ｃ  操作キー
４  操作筐体
７  送話用マイクロホン
８  受話用レシーバ
１１  セルラー通信部
１２  テレビ放送受信部
１３  操作入力部
１４  スピーカ
１５  主制御部
１６  表示制御部
１７  ＬＣＤ
１８  連結状態検出部
１９  発信元オブジェクト生成部
２０  表示オブジェクト記憶部
【図１】
2011217380.tif 000003
【図２】
2011217380.tif 000004
【図３】
2011217380.tif 000005
【図４】
2011217380.tif 000006
【図５】
2011217380.tif 000007
【図６】
2011217380.tif 000008
【図７】
2011217380.tif 000009
【図８】
2011217380.tif 000010
【図９】
2011217380.tif 000011
【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
表示オブジェクトを表示画面が縦長状態または横長状態のいずれのときにも表示することが可能な携帯通信端末において、
動作状態に応じて表示される第１及び第２の表示オブジェクトを記憶している表示オブジェクト記憶手段と、
上記各表示オブジェクトを上記表示画面上に表示する表示制御手段とを備え、
上記表示制御手段は、上記表示オブジェクトを上記表示画面が縦長状態のときに表示する場合、当該表示画面上端部に設けた第１オブジェクト表示領域内に上記第１の表示オブジェクトを表示するとともに、表示画面下端部に設けた第２オブジェクト表示領域内に上記第２の表示オブジェクトを表示し、
上記表示オブジェクトを上記表示画面が横長状態のときに表示する場合、当該表示画面上端部又は下端部のいずれかに設けられた第３オブジェクト表示領域内に、上記第１の表示オブジェクトと上記第２の表示オブジェクトの両方を表示することを特徴とする携帯通信端末。
【請求項２】
上記表示オブジェクトに関連する操作を行うためのものであり、上記表示画面とともに利用者の方向を向くように筺体上に配置された操作キーを含む操作手段をさらに備え、
上記操作キーが上記表示画面の四辺のうちの上記縦長状態の下端部かつ上記横長状態の下端部に近い側の筺体上に配置されていることを特徴とする請求項１の携帯通信端末。
【請求項３】
上記操作キーの操作が関連する表示オブジェクトは第２の表示オブジェクトであることを特徴とする請求項２の携帯通信端末。
【請求項４】
第２の表示オブジェクトは上記操作キーに割り当てられた機能割り当てを示すアイコンであることを特徴とする請求項３の携帯通信端末。
【手続補正２】
【補正対象書類名】明細書
【補正対象項目名】０００７
【補正方法】変更
【補正の内容】
【０００７】
第１の本発明による携帯通信端末は、表示オブジェクトを表示画面が縦長状態または横長状態のいずれのときにも表示することが可能な携帯通信端末において、動作状態に応じて表示される第１及び第２の表示オブジェクトを記憶している表示オブジェクト記憶手段と、上記各表示オブジェクトを上記表示画面上に表示する表示制御手段とを備え、上記表示制御手段が、上記表示オブジェクトを上記表示画面が縦長状態のときに表示する場合、当該表示画面上端部に設けた第１オブジェクト表示領域内に上記第１の表示オブジェクトを表示するとともに、表示画面下端部に設けた第２オブジェクト表示領域内に上記第２の表示オブジェクトを表示し、上記表示オブジェクトを上記表示画面が横長状態のときに表示する場合、当該表示画面上端部又は下端部のいずれかに設けられた第３オブジェクト表示領域内に、上記第１の表示オブジェクトと上記第２の表示オブジェクトの両方を表示する。
【手続補正３】
【補正対象書類名】明細書
【補正対象項目名】０００８
【補正方法】変更
【補正の内容】
【０００８】
この携帯通信端末では、表示画面が縦長状態又は横長状態のいずれの状態にあるかが判別され、その判別結果に基づいて各表示オブジェクトが表示画面上に表示される。その際、表示画面が横長状態にあれば、当該表示画面上端部又は下端部のいずれかに設けた第３オブジェクト表示領域内に第１及び第２の表示オブジェクトが表示される。この様な構成により、表示画面の横長状態では、同一のオブジェクト表示領域内に第１及び第２の表示オブジェクトが配置されるので、表示画面を縦長状態から横長状態に切り替えた際に、画像などを表示させる表示領域が狭小化するのを抑制させることができる。
【手続補正４】
【補正対象書類名】明細書
【補正対象項目名】００１０
【補正方法】変更
【補正の内容】
【００１０】
第２の本発明による携帯通信端末は、上記構成に加え、上記表示オブジェクトに関連する操作を行うためのものであり、上記表示画面とともに利用者の方向を向くように筺体上に配置された操作キーを含む操作手段をさらに備え、上記操作キーが上記表示画面の四辺のうちの上記縦長状態の下端部かつ上記横長状態の下端部に近い側の筺体上に配置されている。
【手続補正５】
【補正対象書類名】明細書
【補正対象項目名】００１１
【補正方法】変更
【補正の内容】
【００１１】
第３の本発明による携帯通信端末は、上記構成に加え、上記操作キーの操作が関連する表示オブジェクトは第２の表示オブジェクトであるように構成される。
【手続補正６】
【補正対象書類名】明細書
【補正対象項目名】００１２
【補正方法】変更
【補正の内容】
【００１２】
第４の本発明による携帯通信端末は、上記構成に加え、第２の表示オブジェクトが上記操作キーに割り当てられた機能割り当てを示すアイコンであるように構成される。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
表示筺体を回転させることにより、表示画面の長手方向を上下方向とする縦長状態と、長手方向を左右方向とする横長状態とに切り替えて使用することができる携帯通信端末において、
動作状態に応じて表示される第１及び第２の表示オブジェクトを記憶している表示オブジェクト記憶手段と、
上記各表示オブジェクトを上記表示画面上に表示する表示制御手段とを備え、
上記表示制御手段は、上記表示オブジェクトを上記表示画面が縦長状態のときに表示する場合、当該表示画面上端部に設けた第１オブジェクト表示領域内に上記第１の表示オブジェクトを表示するとともに、表示画面下端部に設けた第２オブジェクト表示領域内に上記第２の表示オブジェクトを表示し、
上記表示オブジェクトを上記表示画面が横長状態のときに表示する場合、当該表示画面上端部又は下端部のいずれかに設けられた第３オブジェクト表示領域内に、上記第１の表示オブジェクトと上記第２の表示オブジェクトの両方を表示することを特徴とする携帯通信端末。
【請求項２】
上記表示筺体の回転を検出することにより上記表示画面が縦長状態又は横長状態のいずれの状態にあるかを判別する検出手段を設けたことを特徴とする請求項１に記載の携帯通信端末。
【請求項３】
上記表示オブジェクトに関連する操作を行うためのものであり、上記表示画面とともに利用者の方向を向くように筺体上に配置された操作キーを含む操作手段をさらに備え、
上記操作キーが上記表示画面の四辺のうちの上記縦長状態の下端部かつ上記横長状態の下端部に近い側の筺体上に配置されていることを特徴とする請求項１の携帯通信端末。
【請求項４】
上記操作キーの操作が関連する表示オブジェクトは第２の表示オブジェクトであることを特徴とする請求項３の携帯通信端末。
【請求項５】
第２の表示オブジェクトは上記操作キーに割り当てられた機能割り当てを示すアイコンであることを特徴とする請求項４の携帯通信端末。
【手続補正２】
【補正対象書類名】明細書
【補正対象項目名】０００７
【補正方法】変更
【補正の内容】
【０００７】
第１の本発明による携帯通信端末は、表示筺体を回転させることにより、表示画面の長手方向を上下方向とする縦長状態と、長手方向を左右方向とする横長状態とに切り替えて使用することができる携帯通信端末において、動作状態に応じて表示される第１及び第２の表示オブジェクトを記憶している表示オブジェクト記憶手段と、上記各表示オブジェクトを上記表示画面上に表示する表示制御手段とを備え、上記表示制御手段が、上記表示オブジェクトを上記表示画面が縦長状態のときに表示する場合、当該表示画面上端部に設けた第１オブジェクト表示領域内に上記第１の表示オブジェクトを表示するとともに、表示画面下端部に設けた第２オブジェクト表示領域内に上記第２の表示オブジェクトを表示し、上記表示オブジェクトを上記表示画面が横長状態のときに表示する場合、当該表示画面上端部又は下端部のいずれかに設けられた第３オブジェクト表示領域内に、上記第１の表示オブジェクトと上記第２の表示オブジェクトの両方を表示する。
【手続補正３】
【補正対象書類名】明細書
【補正対象項目名】０００８
【補正方法】変更
【補正の内容】
【０００８】
この携帯通信端末では、表示画面が縦長状態又は横長状態のいずれの状態にあるかが判別され、その判別結果に基づいて各表示オブジェクトが表示画面上に表示される。その際、表示画面が横長状態にあれば、当該表示画面上端部又は下端部のいずれかに設けた第３オブジェクト表示領域内に第１及び第２の表示オブジェクトが表示される。この様な構成により、表示画面の横長状態では、同一のオブジェクト表示領域内に第１及び第２の表示オブジェクトが配置されるので、表示画面を縦長状態から横長状態に切り替えた際に、画像などを表示させる表示領域が狭小化するのを抑制させることができる。ここでいう表示オブジェクトとは、表示画面上に表示させる文字、画像などの表示対象のことである。具体的には、電波の受信状態や電池残量を示すピクトグラム（絵文字）、操作キーに割り当てられた機能割り当てを示すアイコン、発信元を示す文字列などが表示オブジェクトに含まれる。
【手続補正４】
【補正対象書類名】明細書
【補正対象項目名】０００９
【補正方法】変更
【補正の内容】
【０００９】
第２の本発明による携帯通信端末は、上記構成に加え、上記表示筺体の回転を検出することにより上記表示画面が縦長状態又は横長状態のいずれの状態にあるかを判別する検出手段を設けて構成される。
【手続補正５】
【補正対象書類名】明細書
【補正対象項目名】００１０
【補正方法】変更
【補正の内容】
【００１０】
第３の本発明による携帯通信端末は、上記構成に加え、上記表示オブジェクトに関連する操作を行うためのものであり、上記表示画面とともに利用者の方向を向くように筺体上に配置された操作キーを含む操作手段をさらに備え、上記操作キーが上記表示画面の四辺のうちの上記縦長状態の下端部かつ上記横長状態の下端部に近い側の筺体上に配置されている。
【手続補正６】
【補正対象書類名】明細書
【補正対象項目名】００１１
【補正方法】変更
【補正の内容】
【００１１】
第４の本発明による携帯通信端末は、上記構成に加え、上記操作キーの操作が関連する表示オブジェクトは第２の表示オブジェクトであるように構成される。
【手続補正７】
【補正対象書類名】明細書
【補正対象項目名】００１２
【補正方法】変更
【補正の内容】
【００１２】
第５の本発明による携帯通信端末は、上記構成に加え、第２の表示オブジェクトが上記操作キーに割り当てられた機能割り当てを示すアイコンであるように構成される。